(57)【要約】【課題】オフラインで使用される携帯端末に対して、ファイルサーバでのファイルの状態の変化を反映させるファイル管理システムを提供する。【解決手段】携帯端末がファイルサーバに接続すると、端末ＩＤと、携帯端末にあるコンテンツファイルのコンテンツＩＤ及び更新日時からなる取得一覧情報とが送信される（Ｓ５１，Ｓ５２）。更新情報を受信したら（Ｓ５４：ＹＥＳ）、更新後のコンテンツファイルに更新され（Ｓ５６）、警告画面が表示される（Ｓ５７）。削除情報を受信したら（Ｓ５５：ＹＥＳ）、出力コンテンツファイルが削除され（Ｓ５８）、警告画面が表示される（Ｓ５９）。終了情報を受信したら（Ｓ５３：ＹＥＳ）、警告画面の確認ボタンが選択されたら（Ｓ６０：ＹＥＳ，Ｓ６１：ＹＥＳ）、電気泳動表示装置に初期画面が表示される（Ｓ６２）。そして、ファイルサーバから新たなコンテンツファイルを受信する受信処理が行われる（Ｓ６３）。【選択図】図１６
2009237843.tif 000002
【特許請求の範囲】
【請求項１】
ファイルを当該ファイルの更新日時と対応させて記憶するファイル記憶手段を備えたファイルサーバと、ファイルに記載された情報を出力するファイル情報出力手段を備えた携帯端末とが接続したファイル管理システムであって、
前記ファイルサーバは、
前記携帯端末を接続するサーバ側接続手段と、
前記ファイル記憶手段に記憶されている前記ファイルを前記更新日時と共に前記サーバ側接続手段により接続した前記携帯端末へ出力するファイル出力手段と、
前記携帯端末は、
情報を表示する表示手段と、
前記ファイルサーバに接続する携帯端末側接続手段と、
前記携帯端末側接続手段により前記ファイルサーバに接続して、前記ファイル出力手段により出力された前記ファイル及び前記更新日時を取得するファイル取得手段と、
前記取得手段により取得された前記ファイル及び前記更新日時を記憶する取得ファイル記憶手段と、
前記ファイル記憶手段に記憶されている前記ファイルを識別する情報であるファイル識別情報と当該ファイルの前記更新日時を対応させた取得一覧情報を作成する取得一覧情報作成手段と、
前記取得一覧情報作成手段により作成された前記取得一覧情報を前記ファイルサーバへ出力する取得一覧情報出力手段とを備え、
前記ファイルサーバは、さらに、
前記サーバ側接続手段により前記携帯端末を接続した場合には、当該携帯端末から前記取得一覧情報を取得する取得一覧情報取得手段と、
前記取得一覧情報取得手段により取得された前記取得一覧情報の前記ファイル識別情報で識別されるファイルについて、前記取得一覧情報の前記更新日時が、前記ファイル記憶手段に記憶されている前記更新日時よりも過去の日時である場合には、当該ファイルが更新された旨を示す更新情報を前記携帯端末へ出力する更新情報出力手段とを備え、
前記携帯端末は、さらに、
前記ファイルサーバの前記更新情報出力手段により出力された前記更新情報を受信した場合には、前記更新情報の示す前記ファイルが更新された旨のメッセージを前記表示手段に表示する更新表示制御手段とを備えたことを特徴とするファイル管理システム。
【請求項２】
前記ファイルサーバは、
前記更新情報出力手段により前記更新情報を出力する際に、当該更新情報が示す、前記ファイル記憶手段に記憶されている前記ファイルを前記携帯端末へ出力する更新後ファイル出力手段を備え、
前記携帯端末は、
前記ファイルサーバの前記更新情報出力手段により出力された前記更新情報を受信した場合には、当該更新情報の示す前記ファイルを、前記更新後ファイル出力手段から出力されたファイルである更新後ファイルに置き換えるファイル更新手段を備えたことを特徴とする請求項１に記載のファイル管理システム。
【請求項３】
前記携帯端末は、
前記更新情報に示す前記ファイルを前記ファイル情報出力手段により出力中である場合には、前記ファイル情報出力手段による出力を中止する出力中止手段を備えたことを特徴とする請求項１又は２に記載のファイル管理システム。
【請求項４】
前記表示手段は、電力供給が断たれた後も表示状態を保持可能な不揮発性表示手段であり、
前記ファイル情報出力手段は、少なくとも前記不揮発性表示手段を含み、
前記携帯端末は、
前記更新情報を前記ファイルサーバから受信した場合には、前記不揮発性表示手段の表示を消す第一表示消去手段を備えたことを特徴とする請求項１乃至３のいずれかに記載のファイル管理システム。
【請求項５】
前記ファイルサーバは、
前記取得一覧情報取得手段により取得された前記取得一覧情報のファイル識別情報で識別される前記ファイルが前記ファイル記憶手段に記憶されていない場合には、当該ファイルが削除された旨を示す削除情報を前記携帯端末へ出力する削除情報出力手段を備え、
前記携帯端末は、
前記ファイルサーバの前記削除情報出力手段により出力された前記削除情報を受信した場合には、前記削除情報の示す前記ファイルが削除された旨のメッセージを前記表示手段に表示する削除表示制御手段を備えたことを特徴とする請求項１乃至４のいずれかに記載のファイル管理システム。
【請求項６】
前記携帯端末は、
前記ファイルサーバの前記削除情報出力手段により出力された前記削除情報を受信した場合には、当該削除情報の示す前記ファイルを前記取得ファイル記憶手段から削除するファイル削除手段を備えたことを特徴とする請求項５に記載のファイル管理システム。
【請求項７】
前記携帯端末は、
当該携帯端末を識別するための端末識別情報を記憶した端末識別情報記憶手段を備え、
前記ファイルサーバは、
前記携帯端末が前記サーバ側接続手段により最後に接続した日時を最終接続日時とし、当該携帯端末の前記端末識別情報と対応させて記憶する最終接続日時記憶手段と、
前記ファイル記憶手段に記憶されている前記ファイルの削除又は更新の操作が行われた日時である操作日時を記憶する操作日時記憶手段と、
前記操作日時記憶手段に記憶されている最新の前記操作日時と、前記操作最終接続日時記憶手段に記憶されている前記最終接続日時とを比較し、前記最終接続日時の方が前記操作日時よりも過去の日時である前記端末識別情報がある場合には、前記端末識別情報を報知する報知手段とを備えたことを特徴とする請求項１乃至６のいずれかに記載のファイル管理システム。
【請求項８】
前記携帯端末は、
前記端末側接続手段による前記ファイルサーバへの接続が断たれてから所定時間が経過した場合に、前記ファイルサーバへの接続が所定時間なされていない旨の警告を出力する警告出力手段を備えたことを特徴とする請求項１乃至７のいずれかに記載のファイル管理システム。
【請求項９】
前記携帯端末は、
前記端末側接続手段による前記ファイルサーバへの接続が断たれてから所定時間が経過した場合に、前記取得ファイル記憶手段に記憶されている前記ファイルの前記ファイル情報出力手段からの出力を禁止する出力禁止手段を備えたことを特徴とする請求項１乃至８のいずれかに記載のファイル管理システム。
【請求項１０】
前記携帯端末は、
前記端末側接続手段による前記ファイルサーバへの接続が断たれてから所定時間が経過した場合に、前記不揮発性表示手段の表示を消す第二表示消去手段を備えたことを特徴とする請求項４に記載のファイル管理システム。
【請求項１１】
情報を表示する表示手段と、
ファイルを当該ファイルの更新日時と対応させて記憶するファイル記憶手段を備えたファイルサーバに接続する携帯端末側接続手段と、
前記携帯端末側接続手段により前記ファイルサーバに接続して、前記ファイル出力手段により出力された前記ファイル及び前記更新日時を取得するファイル取得手段と、
前記取得手段により取得された前記ファイル及び前記更新日時を記憶する取得ファイル記憶手段と、
前記ファイル記憶手段に記憶されている前記ファイルを識別する情報であるファイル識別情報と当該ファイルの前記更新日時を対応させた取得一覧情報を作成する取得一覧情報作成手段と、
前記取得一覧情報作成手段により作成された前記取得一覧情報を前記ファイルサーバへ出力する取得一覧情報出力手段と、
前記取得一覧情報出力手段により出力された前記取得一覧情報に基づいて前記ファイルサーバにより作成され、出力された前記ファイルが更新された旨を示す更新情報を受信した場合には、前記更新情報の示す前記ファイルが更新された旨のメッセージを前記表示手段に表示する更新表示制御手段とを備えたことを特徴とする携帯端末。
【請求項１２】
前記ファイルサーバから出力された前記更新情報を受信した場合には、当該更新情報の示す前記ファイルを、当該更新情報に伴い前記ファイルサーバから送信されたファイルである更新後ファイルに置き換えるファイル更新手段を備えたことを特徴とする請求項１１に記載の携帯端末。
【請求項１３】
前記更新情報に示す前記ファイルを前記ファイル情報出力手段により出力中である場合には、前記出力手段により出力を中止する出力中止手段を備えたことを特徴とする請求項１１又は１２に記載の携帯端末。
【請求項１４】
前記表示手段は、電力供給が断たれた後も表示状態を保持可能な不揮発性表示手段であり、
前記出力手段は、少なくとも前記不揮発性表示手段を含み、
前記更新情報を前記ファイルサーバから受信した場合には、前記不揮発性表示手段の表示を消す第一表示消去手段を備えたことを特徴とする請求項１１乃至１３のいずれかに記載の携帯端末。
【請求項１５】
前記取得一覧情報出力手段により出力された前記取得一覧情報に基づいて前記ファイルサーバにより作成され、出力された前記ファイルが削除された旨を示す削除情報を受信した場合には、前記削除情報の示す前記ファイルが削除された旨のメッセージを前記表示手段に表示する削除表示制御手段を備えたことを特徴とする請求項１１乃至１４のいずれかに記載の携帯端末。
【請求項１６】
前記ファイルサーバから出力された前記削除情報を受信した場合には、当該削除情報の示す前記ファイルを前記取得ファイル記憶手段から削除するファイル削除手段を備えたことを特徴とする請求項１５に記載の携帯端末。
【請求項１７】
前記端末側接続手段による前記ファイルサーバへの接続が断たれてから所定時間が経過した場合に、前記ファイルサーバへの接続が所定時間なされていない旨の警告を出力する警告出力手段を備えたことを特徴とする請求項１１乃至１６のいずれかに記載の携帯端末。
【請求項１８】
前記端末側接続手段による前記ファイルサーバへの接続が断たれてから所定時間が経過した場合に、前記取得ファイル記憶手段に記憶されている前記ファイルの前記出力手段からの出力を禁止する出力禁止手段を備えたことを特徴とする請求項１１乃至１４のいずれかに記載の携帯端末。
【請求項１９】
前記端末側接続手段による前記ファイルサーバへの接続が断たれてから所定時間が経過した場合に、前記不揮発性表示手段の表示を消す第二表示消去手段を備えたことを特徴とする請求項１４に記載の携帯端末。
【請求項２０】
請求項１１乃至１９のいずれかに記載の携帯端末としてコンピュータを機能させることを特徴とする携帯端末プログラム。
【発明の詳細な説明】
【技術分野】
【０００１】
本発明は、ファイル管理システム、携帯端末及び携帯端末プログラムに関するものであり、詳細には、ファイルサーバ及び当該ファイルサーバに記憶されているファイルを取得して使用する携帯端末とで構成されるファイル管理システム、携帯端末及び携帯端末プログラムに関するものである。
【背景技術】
【０００２】
近年、金融商品取引法（所謂、ＪＳＯＸ法）や会社法の遵守や、内部統制の強化を目的として、文書の管理が重要視されている。そこで、文書管理のために様々な管理方法や管理システムが提案されている。例えば、特許文献１に記載の発明の履歴管理方法では、文書の原本に対する操作の履歴を記録し、文書の原本が移動される際には操作履歴も付随させて移動させ、文書の履歴管理を行っている。また、特許文献２に記載の発明のコンテンツコピー追跡管理システムでは、文書にＩＤを割り当てて電子透かしとして文書に組み込み、コピー機においてコピーが取られると、コピー機が電子透かしからＩＤを読み出して、コンテンツＩＤ管理センタへ送信している。そして、コンテンツＩＤ管理センタにおいて文書に対するコピー履歴の管理が行われている。
【０００３】
また、従来、携帯型の端末にコンテンツ（例えば、文書、画像、映像、音声）を記憶させて、これらのコンテンツが視聴されている。携帯型の端末にコンテンツを記憶させる場合には、携帯型の端末をネットワークに接続させ、ネットワーク上に置かれたサーバからコンテンツをダウンロード（コピー）する方法が採られている。そして、携帯型の端末においてネットワーク上のサーバから取得したコンテンツを使用する場合には、端末をオフライン（ネットワーク断）として使用されることが多い。
【特許文献１】特開２００２−８２９３４号公報
【特許文献２】特開２００２−１６７８８号公報
【発明の開示】
【発明が解決しようとする課題】
【０００４】
しかしながら、携帯型の端末がオフラインで使用される場合、サーバにあるコンテンツに変更が加えられたり、コンテンツ自体が削除されたりしても、携帯型の端末側ではそのことを把握できない。よって、携帯型の端末のユーザはコンテンツに変更があったことを知らずに古いコンテンツを使用してしまったり、コンテンツがなくなっていても知らないまま使用してしまったりする。特許文献１に記載の発明の履歴管理方法や、特許文献２に記載の発明のコンテンツコピー追跡管理システムでは、コンテンツ自体（原本）に対する管理は行われているが、コンテンツ内容の変更の反映が、コピーされたコンテンツに対して考えられていない。
【０００５】
本発明は、上述の問題点を解決するためになされたものであり、オフラインで使用される携帯端末に対して、ファイルサーバでのファイルの状態の変化を反映させる、又は、反映させる手助けをするファイル管理システム、携帯端末及び携帯端末プログラムを提供することを目的とする。
【課題を解決するための手段】
【０００６】
上記課題を解決するため、請求項１に係る発明のファイル管理システムでは、ファイルを当該ファイルの更新日時と対応させて記憶するファイル記憶手段を備えたファイルサーバと、ファイルに記載された情報を出力するファイル情報出力手段を備えた携帯端末とが接続したファイル管理システムであって、前記ファイルサーバは、前記携帯端末を接続するサーバ側接続手段と、前記ファイル記憶手段に記憶されている前記ファイルを前記更新日時と共に前記サーバ側接続手段により接続した前記携帯端末へ出力するファイル出力手段と、前記携帯端末は、情報を表示する表示手段と、前記ファイルサーバに接続する携帯端末側接続手段と、前記携帯端末側接続手段により前記ファイルサーバに接続して、前記ファイル出力手段により出力された前記ファイル及び前記更新日時を取得するファイル取得手段と、前記取得手段により取得された前記ファイル及び前記更新日時を記憶する取得ファイル記憶手段と、前記ファイル記憶手段に記憶されている前記ファイルを識別する情報であるファイル識別情報と当該ファイルの前記更新日時を対応させた取得一覧情報を作成する取得一覧情報作成手段と、前記取得一覧情報作成手段により作成された前記取得一覧情報を前記ファイルサーバへ出力する取得一覧情報出力手段とを備え、前記ファイルサーバは、さらに、前記サーバ側接続手段により前記携帯端末を接続した場合には、当該携帯端末から前記取得一覧情報を取得する取得一覧情報取得手段と、前記取得一覧情報取得手段により取得された前記取得一覧情報の前記ファイル識別情報で識別されるファイルについて、前記取得一覧情報の前記更新日時が、前記ファイル記憶手段に記憶されている前記更新日時よりも過去の日時である場合には、当該ファイルが更新された旨を示す更新情報を前記携帯端末へ出力する更新情報出力手段とを備え、前記携帯端末は、さらに、前記ファイルサーバの前記更新情報出力手段により出力された前記更新情報を受信した場合には、前記更新情報の示す前記ファイルが更新された旨のメッセージを前記表示手段に表示する更新表示制御手段とを備えている。
【０００７】
また、請求項２に係る発明のファイル管理システムでは、請求項１に記載の発明の構成に加えて、前記ファイルサーバは、前記更新情報出力手段により前記更新情報を出力する際に、当該更新情報が示す、前記ファイル記憶手段に記憶されている前記ファイルを前記携帯端末へ出力する更新後ファイル出力手段を備え、前記携帯端末は、前記ファイルサーバの前記更新情報出力手段により出力された前記更新情報を受信した場合には、当該更新情報の示す前記ファイルを、前記更新後ファイル出力手段から出力されたファイルである更新後ファイルに置き換えるファイル更新手段を備えている。
【０００８】
また、請求項３に係る発明のファイル管理システムでは、請求項１又は２に記載の発明の構成に加えて、前記携帯端末は、前記更新情報に示す前記ファイルを前記ファイル情報出力手段により出力中である場合には、前記ファイル情報出力手段による出力を中止する出力中止手段を備えている。
【０００９】
また、請求項４に係る発明のファイル管理システムでは、請求項１乃至３のいずれかに記載の発明の構成に加えて、前記表示手段は、電力供給が断たれた後も表示状態を保持可能な不揮発性表示手段であり、前記ファイル情報出力手段は、少なくとも前記不揮発性表示手段を含み、前記携帯端末は、前記更新情報を前記ファイルサーバから受信した場合には、前記不揮発性表示手段の表示を消す第一表示消去手段を備えている。
【００１０】
また、請求項５に係る発明のファイル管理システムでは、請求項１乃至４のいずれかに記載の発明の構成に加えて、前記ファイルサーバは、前記取得一覧情報取得手段により取得された前記取得一覧情報のファイル識別情報で識別される前記ファイルが前記ファイル記憶手段に記憶されていない場合には、当該ファイルが削除された旨を示す削除情報を前記携帯端末へ出力する削除情報出力手段を備え、前記携帯端末は、前記ファイルサーバの前記削除情報出力手段により出力された前記削除情報を受信した場合には、前記削除情報の示す前記ファイルが削除された旨のメッセージを前記表示手段に表示する削除表示制御手段を備えている。
【００１１】
また、請求項６に係る発明のファイル管理システムでは、請求項５に記載の発明の構成に加えて、前記携帯端末は、前記ファイルサーバの前記削除情報出力手段により出力された前記削除情報を受信した場合には、当該削除情報の示す前記ファイルを前記取得ファイル記憶手段から削除するファイル削除手段を備えている。
【００１２】
また、請求項７に係る発明のファイル管理システムでは、請求項１乃至６のいずれかに記載の発明の構成に加えて、前記携帯端末は、当該携帯端末を識別するための端末識別情報を記憶した端末識別情報記憶手段を備え、前記ファイルサーバは、前記携帯端末が前記サーバ側接続手段により最後に接続した日時を最終接続日時とし、当該携帯端末の前記端末識別情報と対応させて記憶する最終接続日時記憶手段と、前記ファイル記憶手段に記憶されている前記ファイルの削除又は更新の操作が行われた日時である操作日時を記憶する操作日時記憶手段と、前記操作日時記憶手段に記憶されている最新の前記操作日時と、前記操作最終接続日時記憶手段に記憶されている前記最終接続日時とを比較し、前記最終接続日時の方が前記操作日時よりも過去の日時である前記端末識別情報がある場合には、前記端末識別情報を報知する報知手段とを備えている。
【００１３】
また、請求項８に係る発明のファイル管理システムでは、請求項１乃至７のいずれかに記載の発明の構成に加えて、前記携帯端末は、前記端末側接続手段による前記ファイルサーバへの接続が断たれてから所定時間が経過した場合に、前記ファイルサーバへの接続が所定時間なされていない旨の警告を出力する警告出力手段を備えている。
【００１４】
また、請求項９に係る発明のファイル管理システムでは、請求項１乃至８のいずれかに記載の発明の構成に加えて、前記携帯端末は、前記端末側接続手段による前記ファイルサーバへの接続が断たれてから所定時間が経過した場合に、前記取得ファイル記憶手段に記憶されている前記ファイルの前記ファイル情報出力手段からの出力を禁止する出力禁止手段を備えている。
【００１５】
また、請求項１０に係る発明のファイル管理システムでは、請求項４に記載の発明の構成に加えて、前記携帯端末は、前記端末側接続手段による前記ファイルサーバへの接続が断たれてから所定時間が経過した場合に、前記不揮発性表示手段の表示を消す第二表示消去手段を備えている。
【００１６】
また、請求項１１に係る発明の携帯端末では、情報を表示する表示手段と、ファイルを当該ファイルの更新日時と対応させて記憶するファイル記憶手段を備えたファイルサーバに接続する携帯端末側接続手段と、前記携帯端末側接続手段により前記ファイルサーバに接続して、前記ファイル出力手段により出力された前記ファイル及び前記更新日時を取得するファイル取得手段と、前記取得手段により取得された前記ファイル及び前記更新日時を記憶する取得ファイル記憶手段と、前記ファイル記憶手段に記憶されている前記ファイルを識別する情報であるファイル識別情報と当該ファイルの前記更新日時を対応させた取得一覧情報を作成する取得一覧情報作成手段と、前記取得一覧情報作成手段により作成された前記取得一覧情報を前記ファイルサーバへ出力する取得一覧情報出力手段と、前記取得一覧情報出力手段により出力された前記取得一覧情報に基づいて前記ファイルサーバにより作成され、出力された前記ファイルが更新された旨を示す更新情報を受信した場合には、前記更新情報の示す前記ファイルが更新された旨のメッセージを前記表示手段に表示する更新表示制御手段とを備えている。
【００１７】
また、請求項１２に係る発明の携帯端末では、請求項１１に記載の発明の構成に加えて、前記ファイルサーバから出力された前記更新情報を受信した場合には、当該更新情報の示す前記ファイルを、当該更新情報に伴い前記ファイルサーバから送信されたファイルである更新後ファイルに置き換えるファイル更新手段を備えている。
【００１８】
また、請求項１３に係る発明の携帯端末では、請求項１１又は１２に記載の発明の構成に加えて、前記更新情報に示す前記ファイルを前記ファイル情報出力手段により出力中である場合には、前記出力手段により出力を中止する出力中止手段を備えている。
【００１９】
また、請求項１４に係る発明の携帯端末では、請求項１１乃至１３のいずれかに記載の発明の構成に加えて、前記表示手段は、電力供給が断たれた後も表示状態を保持可能な不揮発性表示手段であり、前記出力手段は、少なくとも前記不揮発性表示手段を含み、前記更新情報を前記ファイルサーバから受信した場合には、前記不揮発性表示手段の表示を消す第一表示消去手段を備えている。
【００２０】
また、請求項１５に係る発明の携帯端末では、請求項１１乃至１４のいずれかに記載の発明の構成に加えて、前記取得一覧情報出力手段により出力された前記取得一覧情報に基づいて前記ファイルサーバにより作成され、出力された前記ファイルが削除された旨を示す削除情報を受信した場合には、前記削除情報の示す前記ファイルが削除された旨のメッセージを前記表示手段に表示する削除表示制御手段を備えている。
【００２１】
また、請求項１６に係る発明の携帯端末では、請求項１５に記載の発明の構成に加えて、前記ファイルサーバから出力された前記削除情報を受信した場合には、当該削除情報の示す前記ファイルを前記取得ファイル記憶手段から削除するファイル削除手段を備えている。
【００２２】
また、請求項１７に係る発明の携帯端末では、請求項１１乃至１６のいずれかに記載の発明の構成に加えて、前記端末側接続手段による前記ファイルサーバへの接続が断たれてから所定時間が経過した場合に、前記ファイルサーバへの接続が所定時間なされていない旨の警告を出力する警告出力手段を備えている。
【００２３】
また、請求項１８に係る発明の携帯端末では、請求項１１乃至１４のいずれかに記載の発明の構成に加えて、前記端末側接続手段による前記ファイルサーバへの接続が断たれてから所定時間が経過した場合に、前記取得ファイル記憶手段に記憶されている前記ファイルの前記出力手段からの出力を禁止する出力禁止手段を備えている。
【００２４】
また、請求項１９に係る発明の携帯端末では、請求項１４に記載の発明の構成に加えて、前記端末側接続手段による前記ファイルサーバへの接続が断たれてから所定時間が経過した場合に、前記不揮発性表示手段の表示を消す第二表示消去手段を備えている。
【００２５】
また、請求項２０に係る発明の携帯端末プログラムでは、請求項１１乃至１９のいずれかに記載の携帯端末としてコンピュータを機能させることを特徴とする。
【発明の効果】
【００２６】
請求項１に係る発明のファイル管理システムでは、携帯端末は、ファイルサーバから取得したファイルのファイル識別情報と更新日時を対応させた取得一覧情報をファイルサーバへ出力することができる。そして、ファイルサーバでは、携帯端末から取得一覧情報を取得し、ファイル記憶手段に記憶されているファイルの更新日時と、取得一覧情報に示されている更新日時とを比較することができる。そして、ファイル記憶手段に記憶されている更新日時よりも過去の日時である場合には、ファイルが更新された旨を示す更新情報を携帯端末へ出力することができる。よって、携帯端末は、取得したファイルが更新されたことを示す更新情報をファイルサーバから受信することにより、ファイルの更新を知ることができ、その旨のメッセージを表示することができる。したがって、携帯端末の使用者にファイルが更新されたことを報知することができる。よって、使用者はファイルの更新を知ることができるので、そのファイルの使用方法を改めたり、ファイルサーバに接続して更新後のファイルを取得したりすることができる。したがって、携帯端末により持ち出されたファイルを、更新前のまま使用し続けるという内部統制の観点から好ましくない状況を回避する手助けとなる。
【００２７】
また、請求項２に係る発明のファイル管理システムでは、請求項１に記載の発明の効果に加えて、ファイルサーバは、更新情報を出力する際に、更新情報が示しているファイル識別情報のファイルを、ファイル記憶手段から読み出して携帯端末へ出力することができる。そして、携帯端末は、更新情報と更新後ファイルを受信した場合には、自身に記憶されているファイルを更新後ファイルに置き換えることができる。よって、携帯端末がファイルサーバに接続した際に、ファイルサーバにて更新されたファイルが携帯端末においても自動的に更新され。したがって、携帯端末により持ち出された後に更新されたファイルを、そのまま使用し続けるという内部統制の観点から好ましくない状況を回避することができる。
【００２８】
また、請求項３に係る発明のファイル管理システムでは、請求項１又は２に記載の発明の効果に加えて、携帯端末は、更新があったファイルを出力中であれば、出力を中止することができる。ファイル情報出力手段により出力されるものが画像であれば画像が消去され、音声であれば出力が止められる。よって、更新があったファイルの情報が更新前の状態で出力され続けることがない。
【００２９】
また、請求項４に係る発明のファイル管理システムでは、請求項１乃至３のいずれかに記載の発明の効果に加えて、携帯端末の表示手段は、電力供給が断たれた後も表示状態を保持可能な不揮発性表示手段であり、ファイル情報出力手段として使用することができる。そして、携帯端末は、更新情報をファイルサーバから受信した場合には、不揮発性表示手段の表示を消すことができる。よって、ファイルに更新があった場合に、不揮発性表示手段にどのような情報が表示されていたとしても表示が消される。よって、過去にどのような情報が表示され、その内容が不揮発性表示手段に保持されていたとしても、更新情報を受信すれば、表示が消されるので、更新があったファイルの情報が更新前の状態で出力され続けてしまうことがない。
【００３０】
また、請求項５に係る発明のファイル管理システムでは、請求項１乃至４のいずれかに記載の発明の効果に加えて、ファイルサーバは、取得一覧情報のファイル識別情報で識別されるファイルがファイル記憶手段に記憶されていない場合には、ファイルが削除された旨を示す削除情報を携帯端末へ出力することができる。そして、携帯端末は、削除情報を受信した場合には、削除情報の示すファイルが削除された旨のメッセージを表示手段に表示することができる。よって、携帯端末の使用者にファイルが削除されたことを報知することができる。よって、使用者はファイルの削除を知ることができるので、そのファイルの使用方法を改めたり、削除したりすることができる。したがって、携帯端末により持ち出されたファイルを、ファイルサーバから削除されたまま使用し続けるという内部統制の観点から好ましくない状況を回避する手助けとなる。
【００３１】
また、請求項６に係る発明のファイル管理システムでは、請求項５に記載の発明の効果に加えて、携帯端末は、削除情報を受信した場合には、削除情報の示すファイルを取得ファイル記憶手段から削除することができる。よって、携帯端末がファイルサーバに接続した際に、ファイルサーバにて削除されたファイルが自動的に携帯端末から削除されるので、携帯端末により持ち出された後に削除されたファイルを、そのまま使用し続けるという内部統制の観点から好ましくない状況を回避することができる。
【００３２】
また、請求項７に係る発明のファイル管理システムでは、請求項１乃至６のいずれかに記載の発明の効果に加えて、ファイルサーバにて、最後に携帯端末が接続した最終接続日時を記憶しており、ファイル記憶手段に記憶されているファイルの操作（削除又は更新）が行われた操作日時を記憶しているので、最新の操作日時と最終接続日時とを比較し、最終接続日時の方が過去の日時であれば、その携帯識別情報を報知することができる。よって、ファイルサーバの管理者は、その携帯端末が接続した後にファイル操作が行われた可能性があることを知ることができる。よって、携帯端末の使用者に、その旨を伝え、注意を喚起することができる。したがって、携帯端末により持ち出された後の削除されたファイルを、そのまま使用し続けるという内部統制の観点から好ましくない状況を回避する手助けとなる。
【００３３】
また、請求項８に係る発明のファイル管理システムでは、請求項１乃至７のいずれかに記載の発明の効果に加えて、携帯端末では、ファイルサーバへ所定時間接続していないと、その旨を警告することができる。よって、携帯端末の使用者は、所定時間接続していないことを知ることができ、これにより、削除されたり、更新されたりしたファイルを使用している危険性があることを知ることができる。よって、携帯端末のファイルの使用方法を改めたり、ファイルサーバに接続して更新後のファイルを取得したりすることができる。したがって、携帯端末により持ち出された後に削除されたり更新されたりしたファイルを、そのまま使用し続けるという内部統制の観点から好ましくない状況を回避する手助けとなる。
【００３４】
また、請求項９に係る発明のファイル管理システムでは、請求項１乃至８のいずれかに記載の発明の効果に加えて、携帯端末では、ファイルサーバへ所定時間接続していないと、ファイルサーバから取得したファイルを出力できなくなる。よって、携帯端末の使用者は、所定時間接続していないことを知ることができ、これにより、削除されたり、更新されたりしたファイルを使用している危険性があることを知ることができる。そこで、ファイルサーバへ接続すれば、削除されたファイルは削除され、更新されたファイルは更新後のファイルに置きかえられるので、携帯端末により持ち出された後に削除されたり更新されたりしたファイルを、そのまま使用し続けるという内部統制の観点から好ましくない状況を回避することができる。
【００３５】
また、請求項１０に係る発明のファイル管理システムでは、請求項４に記載の発明の効果に加えて、携帯端末では、ファイルサーバへ所定時間接続していないと、不揮発性表示手段に表示されている情報を消すことができる。よって、過去にどのような情報が表示され、その内容が不揮発性表示手段に保持されていたとしても、表示が消されるので、削除又は更新があったファイルの情報が表示されていた場合であっても、削除前又は更新前の状態で出力され続けてしまうことがない。
【００３６】
また、請求項１１に係る発明の携帯端末では、ファイルサーバから取得したファイルのファイル識別情報と更新日時を対応させた取得一覧情報をファイルサーバへ出力することができる。そして、取得したファイルが更新されたことを示す更新情報をファイルサーバから受信することにより、ファイルの更新を知ることができ、その旨のメッセージを表示することができる。したがって、携帯端末の使用者にファイルが更新されたことを報知することができる。よって、使用者はファイルの更新を知ることができるので、そのファイルの使用方法を改めたり、ファイルサーバに接続して更新後のファイルを取得したりすることができる。したがって、携帯端末により持ち出されたファイルを、更新前のまま使用し続けるという内部統制の観点から好ましくない状況を回避する手助けとなる。
【００３７】
また、請求項１２に係る発明の携帯端末では、請求項１１に記載の発明の効果に加えて、携帯端末は、更新情報と更新後ファイルをファイルサーバから受信した場合には、自身に記憶されているファイルを更新後ファイルに置き換えることができる。よって、携帯端末がファイルサーバに接続した際に、ファイルサーバにて更新されたファイルが携帯端末においても自動的に更新される。したがって、携帯端末により持ち出された後に更新されたファイルを、そのまま使用し続けるという内部統制の観点から好ましくない状況を回避することができる。
【００３８】
また、請求項１３に係る発明の携帯端末では、請求項１１又は１２に記載の発明の効果に加えて、更新があったファイルを出力中であれば、出力を中止することができる。ファイル情報出力手段により出力されるものが画像であれば画像が消去され、音声であれば出力が止められる。よって、更新があったファイルの情報が更新前の状態で出力され続けることがない。
【００３９】
また、請求項１４に係る発明の携帯端末では、請求項１１乃至１３のいずれかに記載の発明の効果に加えて、表示手段は、電力供給が断たれた後も表示状態を保持可能な不揮発性表示手段であり、ファイル情報出力手段として使用することができる。そして、更新情報をファイルサーバから受信した場合には、不揮発性表示手段の表示を消すことができる。よって、ファイルに更新があった場合に、不揮発性表示手段にどのような情報が表示されていたとしても表示が消される。よって、過去にどのような情報が表示され、その内容が不揮発性表示手段に保持されていたとしても、更新情報を受信すれば、表示が消されるので、更新があったファイルの情報が更新前の状態で出力され続けてしまうことがない。
【００４０】
また、請求項１５に係る発明の携帯端末では、請求項１１乃至１４のいずれかに記載の発明の効果に加えて、ファイルサーバから削除情報を受信した場合には、削除情報の示すファイルが削除された旨のメッセージを表示手段に表示することができる。よって、携帯端末の使用者にファイルが削除されたことを報知することができる。よって、使用者はファイルの削除を知ることができるので、そのファイルの使用方法を改めたり、削除したりすることができる。したがって、携帯端末により持ち出されたファイルを、削除前のまま使用し続けるという内部統制の観点から好ましくない状況を回避する手助けとなる。
【００４１】
また、請求項１６に係る発明の携帯端末では、請求項１５に記載の発明の効果に加えて、削除情報を受信した場合には、削除情報の示すファイルを取得ファイル記憶手段から削除することができる。よって、携帯端末がファイルサーバに接続した際に、ファイルサーバにて削除されたファイルが自動的に携帯端末から削除されるので、携帯端末により持ち出された後に削除されたファイルを、そのまま使用し続けるという内部統制の観点から好ましくない状況を回避することができる。
【００４２】
また、請求項１７に係る発明の携帯端末では、請求項１１乃至１６のいずれかに記載の発明の効果に加えて、ファイルサーバへ所定時間接続していないと、その旨を警告することができる。よって、携帯端末の使用者は、所定時間接続していないことを知ることができる。これにより、削除されたり、更新されたりしたファイルを使用している危険性があることを知ることができる。よって、携帯端末のファイルの使用方法を改めたり、ファイルサーバに接続して更新後のファイルを取得したりすることができる。したがって、携帯端末により持ち出された後に削除されたり更新されたりしたファイルを、そのまま使用し続けるという内部統制の観点から好ましくない状況を回避する手助けとなる。
【００４３】
また、請求項１８に係る発明の携帯端末では、請求項１１乃至１４のいずれかに記載の発明の効果に加えて、ファイルサーバへ所定時間接続していないと、ファイルサーバから取得したファイルを出力できなくなる。よって、携帯端末の使用者は、所定時間接続していないことを知ることができ、これにより、削除されたり、更新されたりしたファイルを使用している危険性があることを知ることができる。そこで、ファイルサーバへ接続すれば、削除されたファイルは削除され、更新されたファイルは更新後のファイルに置きかえられるので、携帯端末により持ち出された後に削除されたり更新されたりしたファイルを、そのまま使用し続けるという内部統制の観点から好ましくない状況を回避することができる。
【００４４】
また、請求項１９に係る発明の携帯端末では、請求項１４に記載の発明の効果に加えて、ファイルサーバへ所定時間接続していないと、不揮発性表示手段に表示されている情報を消すことができる。よって、過去にどのような情報が表示され、その内容が不揮発性表示手段に保持されていたとしても、表示が消されるので、削除又は更新があったファイルの情報が表示されていた場合であっても、削除前又は更新前の状態で出力され続けてしまうことがない。
【００４５】
また、請求項２０に係る発明の携帯端末プログラムをコンピュータに実行させることにより、請求項１１乃至１９のいずれかに記載の携帯端末と同様の効果を奏することができる。
【発明を実施するための最良の形態】
【００４６】
以下、本発明の実施の形態を図面を参照して説明する。図１は、本実施の形態のファイル管理システムの構成図である。図１に示すように、本実施の形態のファイル管理システムでは、携帯端末１がファイルサーバ２に接続する。携帯端末１は、ファイルサーバ２に接続して、コンテンツファイルを取得する。このコンテンツファイルは、コンテンツを記述したデータの集合体である。コンテンツは、文字及び画像の少なくとも１つで構成される。ファイルサーバ２には、ファイル管理プログラムが記憶されている。ファイルサーバ２でファイル管理プログラムを実行することにより、ファイル管理アプリケーションが起動される。このファイル管理アプリケーションでは、ファイルサーバ２が取得可能なコンテンツファイルの中から、携帯端末１へ出力するコンテンツファイルを選択することができる。そして、携帯端末１がファイルサーバ２へ接続した際には、選択されたコンテンツファイルがファイル管理アプリケーションによりファイルサーバ２から携帯端末１へ出力される。
【００４７】
次に、図２を参照して、ファイルサーバ２の電気的構成について説明する。図２は、ファイルサーバ２の電気的構成を示す模式図である。図２に示すように、ファイルサーバ２には、ファイルサーバ２の制御を司るＣＰＵ２０が設けられ、ＣＰＵ２０には、各種のデータを一時的に記憶するＲＡＭ２１と、ＢＩＯＳ等を記憶したＲＯＭ２２と、データの受け渡しの仲介を行うＩ／Ｏインタフェイス２４とが接続されている。Ｉ／Ｏインタフェイス２４にはハードディスク装置２３が接続されている。ハードディスク装置２３には、コンテンツ情報記憶エリア２３１（図３参照）と、操作履歴リスト記憶エリア２３２（図４参照）と、最終接続日時情報記憶エリア２３３（図５参照）と、送信コンテンツ記憶エリア２３４と、プログラム記憶エリア２３５と、コンテンツファイル記憶エリア２３６とが少なくとも設けられている。
【００４８】
なお、コンテンツ情報記憶エリア２３１（図３参照）には、コンテンツファイルの所在地がコンテンツを識別する識別情報（コンテンツＩＤ）に対応付けて記憶されている。操作履歴リスト記憶エリア２３２（図４参照）には、コンテンツファイルに対する操作履歴が記憶される。最終接続日時情報記憶エリア２３３（図５参照）には、ファイルサーバ２に接続した携帯端末１を識別する識別情報（端末ＩＤ）ごとに、最後に接続した日時（最終接続日時情報）が記憶される。送信コンテンツ記憶エリア２３４には、端末ＩＤごとに、携帯端末１が接続した際に出力すると選択されたコンテンツファイルのコンテンツＩＤが記憶される。プログラム記憶エリア２３５にはＣＰＵ２０で実行されるファイル管理プログラムが記憶されており、コンテンツファイル記憶エリア２３６には、コンテンツファイルが記憶されている。
【００４９】
また、Ｉ／Ｏインタフェイス２４には、ＲＴＣ２５と、マウスコントローラ２６と、キーコントローラ２７と、ビデオコントローラ２８と、ＵＳＢコントローラ２９が接続されている。ＲＴＣ２５は、時間を計測する。マウスコントローラ２６にはマウス２６１が接続され、キーコントローラ２７にはキーボード２７１が接続され、ビデオコントローラ２８にはディスプレイ２８１が接続される。ＵＳＢコントローラ２９には、ＵＳＢケーブル（図示外）を介して携帯端末１が接続される。
【００５０】
次に、図３乃至図５を参照して、ファイルサーバ２のハードディスク装置２３に設けられている記憶エリアについて説明する。図３は、コンテンツ情報記憶エリア２３１の構成を示す模式図であり、図４は、操作履歴リスト記憶エリア２３２の構成を示す模式図であり、図５は、最終接続日時情報記憶エリア２３３の構成を示す模式図である。
【００５１】
まず、図３を参照して、コンテンツ情報記憶エリア２３１について説明する。コンテンツ情報記憶エリア２３１には、コンテンツファイルの所在地がコンテンツを識別する識別情報（コンテンツＩＤ）に対応付けて記憶されている。図３に示すように、コンテンツ情報記憶エリア２３１には、データ項目として「コンテンツＩＤ」及び「コンテンツ所在地情報」が設けられており、コンテンツＩＤに対応して、コンテンツの所在地を示すコンテンツ所在地情報が記憶されている。コンテンツ所在地情報は、ファイルサーバ２のコンテンツファイル記憶エリア２３６に記憶されているコンテンツファイルを示してる。
【００５２】
次に、図４を参照して、操作履歴リスト記憶エリア２３２について説明する。操作履歴リスト記憶エリア２３２には、コンテンツファイルに対する操作履歴が記憶される。図４に示すように、操作履歴リスト記憶エリア２３２には、データ項目として「コンテンツＩＤ」，「操作内容」，「操作日時」が設けられている。コンテンツファイルに更新又は削除の操作が行われると、新たなレコードが追加される。図４に示す例では、コンテンツＩＤ「ＩＤ＿Ｄ００３」のコンテンツファイルが２００８年２月１日の２０：０４：２８に更新された履歴のレコードが記憶されている。そして、コンテンツＩＤ「ＩＤ＿Ｄ０１９」のコンテンツファイルは２００８年２月８日の９：２４：５６に削除された履歴のレコードが記憶されている。そして、コンテンツＩＤ「ＩＤ＿Ｄ００５」のコンテンツファイルが２００８年２月２４日の１６：１１：２３に更新された履歴のレコードが記憶されている。
【００５３】
次に、図５を参照して、最終接続日時情報記憶エリア２３３について説明する。最終接続日時情報記憶エリア２３３には、ファイルサーバ２に接続した携帯端末１を識別する識別情報（端末ＩＤ）ごとに、最後に接続した日時（最終接続日時）が記憶される。図５に示すように、最終接続日時情報記憶エリア２３３には、データ項目として「端末ＩＤ」及び「最終接続日時」が設けられており、携帯端末１ごとにファイルサーバ２へ最後に接続した日時が記憶されている。
【００５４】
次に、図６及び図７を参照して、ファイルサーバ２のＲＡＭ２１に設けられている記憶エリアについて説明する。図６は、ＲＡＭ２１に設けられている記憶エリアの構成を示す模式図であり、図７は、ＲＡＭ２１の出力コンテンツファイル記憶エリア２１３の構成を示す模式図である。図６に示すように、ＲＡＭ２１には、接続中端末ＩＤ記憶エリア２１１、取得一覧情報記憶エリア２１２、出力コンテンツファイル記憶エリア２１３が少なくとも設けられている。なお、ＲＡＭ２１には図示外の記憶エリアが必要に応じて設けられている。接続中端末ＩＤ記憶エリア２１１には、ファイルサーバ２に接続している携帯端末１の端末ＩＤが記憶される。取得一覧情報記憶エリア２１２には、接続中の携帯端末１から取得された取得一覧情報（図１０参照）が記憶される。
【００５５】
そして、出力コンテンツファイル記憶エリア２１３には、ファイルサーバ２から携帯端末１へコンテンツファイルが出力される際のデータが記憶される。以下、ファイルサーバ２から携帯端末１へコンテンツファイルを出力するために作成されたファイルを「出力コンテンツファイル」という。この出力コンテンツファイル記憶エリア２１３には、この「出力コンテンツファイル」が記憶される。出力コンテンツファイルは、データ項目「コンテンツＩＤ」，「表示用データ」，「更新日時」で構成される。「コンテンツＩＤ」には、出力する選択がなされたコンテンツファイルのコンテンツＩＤがセットされる。「表示用データ」には、コンテンツファイルに記載されているコンテンツを携帯端末１で表示可能なフォーマットに再構成された表示用データが記憶される。「更新日時」には、現在の日時が記憶される。
【００５６】
次に、図８を参照して、携帯端末１の電気的構成について説明する。図８は、携帯端末１の電気的構成を示す模式図である。図４に示すように、携帯端末１にはＣＰＵ１０と、表示コントローラ１１と、操作キー１４と、ＲＴＣ（Ｒｅａｌ  Ｔｉｍｅ  Ｃｌｏｃｋ）１５と、ＲＯＭ１６と、ＲＡＭ１７と、フラッシュメモリ１８と、ＵＳＢコントローラ１９とが設けられている。ＣＰＵ１０は携帯端末１の制御を司る。ＲＯＭ１６は、各種情報及び携帯端末１を動作させる表示端末プログラムが記憶されている。ＲＡＭ１７は各種のデータを一時的に記憶するメモリであり、フラッシュメモリ１８は、種々の情報を記憶した不揮発性メモリである。そして、表示コントローラ１１は、電気泳動表示パネル１１１）への情報の表示を制御する。ＲＴＣ１５は、時間を計測する。ＵＳＢコントローラ１９は、ＵＳＢケーブル（図示外）を介してファイルサーバ２に接続する。
【００５７】
次に、図９及び図１０を参照して、フラッシュメモリ１８について説明する。図９は、フラッシュメモリ１８に設けられている記憶エリアの構成を示す模式図である。図１０は、フラッシュメモリ１８の取得一覧情報記憶エリア１８４の構成を示す模式図である。図９に示すように、端末ＩＤ記憶エリア１８１，出力コンテンツファイル記憶エリア１８２，最終接続日時記憶エリア１８３，取得一覧情報記憶エリア１８４（図１０参照）が少なくとも設けられている。端末ＩＤ記憶エリア１８１には、当該携帯端末１を識別するための識別情報として固有の端末ＩＤが記憶されている。出力コンテンツファイル記憶エリア１８２には、ファイルサーバ２から取得した出力コンテンツファイル（図７の出力コンテンツファイル記憶エリア２１３参照）が、そのまま記憶される。したがって、各出力コンテンツファイルのデータ項目は出力コンテンツファイル記憶エリア２１３（図７参照）に記憶されている出力コンテンツファイルと同様であり、記憶されている情報も同様である。よって、データ項目「コンテンツＩＤ」，「表示用データ」，「更新日時」で構成される。 最終接続日時記憶エリア１８３には、ファイルサーバ２との接続を断った日時が「最終接続日時」として記憶される。取得一覧情報記憶エリア１８４（図１０参照）には、携帯端末１がファイルサーバ２から取得され、出力コンテンツファイル記憶エリア１８２に記憶され知エル出力コンテンツファイルの示すコンテンツのコンテンツＩＤ及び更新日時が記憶される。図１０に示すように、コンテンツＩＤに更新日時が対応されて記憶される。
【００５８】
次に、図１１乃至図１５を参照して、ファイルサーバ２で行われる処理について説明する。図１１は、更新処理のフローチャートであり、図１２は、削除処理のフローチャートである。図１３は、端末接続処理のフローチャートであり、図１４は、端末接続処理の中で行われる転送処理のフローチャートである。図１５は、端末非接続警告処理のフローチャートである。
【００５９】
まず、図１１を参照して、更新処理について説明する。この更新処理は、ファイルサーバ２において、コンテンツファイル記憶エリア２３６に記憶されているコンテンツの更新が指示された際に、ファイル管理プログラムの一部である更新プログラムが呼び出されてＣＰＵ２０で実行されることにより行われるものである。まず、コンテンツファイル記憶エリア２３６に新しいコンテンツファイルが上書きされることにより、コンテンツファイルが更新される（Ｓ１）。そして、現在日時がＲＴＣ２５から取得される（Ｓ２）。次いで、操作履歴リスト記憶エリア２３２に新たな操作履歴のレコードが追加され、「コンテンツＩＤ」には更新指示されたコンテンツファイルのコンテンツＩＤがセットされ、「操作内容」には「更新」を示す値がセットされ、「操作日時」にはＳ２で取得された現在日時がセットされる（Ｓ３）。そして、本処理は終了する。これにより、操作履歴リスト記憶エリア２３２に「更新」の操作履歴を記憶することができる。
【００６０】
次に、図１２を参照して、削除処理について説明する。この削除処理は、ファイルサーバ２において、コンテンツファイル記憶エリア２３６に記憶されているコンテンツの削除が指示された際に、ファイル管理プログラムの削除プログラムが呼び出されてＣＰＵ２０で実行されることにより行われるものである。まず、削除指示されたコンテンツファイルがコンテンツファイル記憶エリア２３６から削除される（Ｓ６）。そして、現在日時がＲＴＣ２５から取得される（Ｓ７）。次いで、操作履歴リスト記憶エリア２３２に新たな操作履歴のレコードが追加され、「コンテンツＩＤ」には削除指示されたコンテンツファイルのコンテンツＩＤがセットされ、「操作履歴」には「削除」を示す値がセットされ、「操作日時」にはＳ７で取得された現在日時がセットされる（Ｓ８）。そして、本処理は終了する。これにより、操作履歴リスト記憶エリア２３２に「削除」の操作履歴を記憶することができる。
【００６１】
次に、図１３及び図１４を参照して、端末接続処理について説明する。この端末接続処理は、ファイルサーバ２において、携帯端末１が接続されたことが検知された際に、ファイル管理プログラムの一部である端末接続プログラムが呼び出されてＣＰＵ２０で実行されることにより行われるものである。
【００６２】
まず、接続している携帯端末１からその携帯端末の端末ＩＤが取得され、ＲＡＭ２１の接続中端末ＩＤ記憶エリア２１１に記憶される（Ｓ１１）。以下、この接続中端末ＩＤ記憶エリア２１１に記憶されている端末ＩＤを「接続中端末ＩＤ」という。これは、携帯端末１において、ファイルサーバ２へ接続した時点で端末ＩＤを出力してくるものが受信される（図１６、Ｓ５１参照）。なお、ファイルサーバ２から携帯端末１に対して、端末ＩＤの取得を要求する情報を出力し、その要求に応じて、携帯端末１がフラッシュメモリ１８の端末ＩＤ記憶エリア１８１に記憶されている端末ＩＤをファイルサーバ２へ出力するようにしてもよい。次いで、接続している携帯端末１から取得一覧情報が取得され、ＲＡＭ２１の取得一覧情報記憶エリア２１２に記憶される（Ｓ１２）。これは、携帯端末１において、ファイルサーバ２へ接続した時点で取得一覧情報を作成し、出力してくるものが受信される（図１６、Ｓ５２参照）。なお、取得一覧情報においても、ファイルサーバ２から携帯端末１に対して取得を要求する情報を出力し、その要求に応じて、携帯端末１がファイルサーバ２へ出力するようにしてもよい。
【００６３】
そして、取得一覧情報から１つの「コンテンツＩＤ」及び「更新日時」が取得される（Ｓ１３）。そして、操作履歴リスト記憶エリア２３２において、取得された「コンテンツＩＤ」の操作内容「更新」の操作履歴のレコードがあり、その「操作日時」が取得された「更新日時」よりも新しい日時であるか否かの判断が行われる（Ｓ１４）。「更新日時」よりも新しい日付の操作履歴のレコードがあれば（Ｓ１４：ＹＥＳ）、その携帯端末１がファイルサーバ２から取得した出力コンテンツファイルが、取得後に更新されていることになる。そこで、取得後に更新されたことを示す「更新情報」が作成され、コンテンツファイル記憶エリア２３６に記憶されている更新後のコンテンツファイルから出力コンテンツファイルが作成され、接続中の携帯端末１へ出力される（Ｓ１５）。そして、Ｓ１８へ進み、取得一覧情報に未処理のコンテンツＩＤがあれば（Ｓ１８：ＹＥＳ）、Ｓ１３へ戻り、取得一覧情報から未処理の「コンテンツＩＤ」及び「更新日時」が取得される（Ｓ１３）。
【００６４】
また、Ｓ１４において、「更新日時」よりも新しい日付の操作履歴のレコードがなければ（Ｓ１４：ＮＯ）、操作履歴リスト記憶エリア２３２において、取得された「コンテンツＩＤ」の操作内容「削除」の操作履歴のレコードがあり、その「操作日時」が取得された「更新日時」よりも新しい日時であるか否かの判断が行われる（Ｓ１６）。「更新日時」よりも新しい日付の操作履歴のレコードがあれば（Ｓ１６：ＹＥＳ）、その携帯端末１がファイルサーバ２から取得した出力コンテンツファイルが、取得後に削除されていることになる。そこで、取得後に削除されたことを示す「削除情報」が作成され、接続中の携帯端末１へ出力される（Ｓ１７）。そして、Ｓ１８へ進み、取得一覧情報に未処理のコンテンツＩＤがあれば（Ｓ１８：ＹＥＳ）、Ｓ１３へ戻り、取得一覧情報から未処理の「コンテンツＩＤ」及び「更新日時」が取得される（Ｓ１３）。
【００６５】
以上のようにして、Ｓ１３〜Ｓ１７の処理が繰り返されることにより、接続中の携帯端末１に出力されたコンテンツのコンテンツファイルが更新されたり、削除されたりしている場合に、そのことを知らせる情報（更新情報又は削除情報）が携帯端末１に送信される。さらに、更新されていた場合には、更新後のコンテンツファイルも、携帯端末１で使用可能な出力コンテンツファイルに再構成されて出力される。
【００６６】
次いで、端末接続処理では、取得一覧情報に記載されているコンテンツの更新／削除の確認の処理が終了したことを示す終了情報が携帯端末１へ送信される（Ｓ１９）。そして、ハードディスク装置２３の送信コンテンツ記憶エリア２３４に、「接続中端末ＩＤ」の携帯端末１へ送信するコンテンツを示したコンテンツＩＤが記憶されているか否かの判断が行われる（Ｓ２１）。送信するコンテンツがなければ（Ｓ２１：ＮＯ）、出力コンテンツファイルを送信しないことを示す「送信終了情報」が送信される（Ｓ２３）。そして、接続中端末ＩＤの「最終接続日時」が更新される（Ｓ２４）。具体的には、ＲＴＣ２５から現在日時が取得され、最終接続日時情報記憶エリア２３３の「接続中端末ＩＤ」に対応する「最終接続日時」に記憶される。なお、最終接続日時情報記憶エリア２３３に「接続中端末ＩＤ」がない場合には、新たに「接続中端末ＩＤ」が追加され、現在日時が「最終接続日時」に記憶される。そして、端末接続処理は終了する。
【００６７】
一方、送信するコンテンツがあれば（Ｓ２１：ＹＥＳ）、転送処理が行われる（Ｓ２２、図１４参照）。以下、送信するコンテンツのコンテンツＩＤを「送信コンテンツＩＤ」という。図１４に示すように、転送処理では、まず、コンテンツ情報記憶エリア２３１の送信コンテンツＩＤに対応して記憶されている「コンテンツ所在情報」が参照され、コンテンツ所在情報の示す場所に記憶されたコンテンツファイルが取得される（Ｓ３１）。そして、取得されたコンテンツファイルに記載されているデータが、携帯端末１で使用可能なフォーマットに変換され、出力コンテンツファイル記憶エリア２１３の「表示用データ」に記憶される（Ｓ３２）。そして、送信コンテンツＩＤが出力コンテンツファイル記憶エリア２１３の「コンテンツＩＤ」に記憶され（Ｓ３３）、ＲＴＣ２５から現在日時が取得されて、「更新日時」に記憶される（Ｓ３４）。そして、出力コンテンツファイル記憶エリア２１３に記憶されている出力コンテンツファイルが、携帯端末１に送信される（Ｓ３５）。そして、転送処理は終了し、端末接続処理へ戻る。
【００６８】
図１３に示すように、端末接続処理では、接続中の携帯端末１へ送信するコンテンツファイルがまだあるか否かの判断が行われ（Ｓ２１）、送信するコンテンツファイルがあれば（Ｓ２１）、再び転送処理が行われる（Ｓ２２）。そして、Ｓ２１，Ｓ２２の処理が繰り返し実行され、接続中の携帯端末１へ送信すべきコンテンツファイルが全て送信されたら（Ｓ２２：ＮＯ）、出力コンテンツファイルを送信しないことを示す「送信終了情報」が送信される（Ｓ２３）。そして、接続中端末ＩＤの「最終接続日時」が更新される（Ｓ２３）。そして、端末接続処理は終了する。
【００６９】
以上のようにして、ファイルサーバ２では、携帯端末１に接続されると、携帯端末１から取得一覧情報を取得し、接続中の携帯端末１に出力されたコンテンツのコンテンツファイルが更新されたり、削除されたりしている場合に、そのことを知らせる情報（更新情報又は削除情報）を携帯端末１に送信する。さらに、更新されていた場合には、更新後のコンテンツファイルも送信する。
【００７０】
次に、図１５を参照して、端末非接続警告処理について説明する。この端末非接続警告処理は、ファイルサーバ２において、所定時間（例えば、２４時間，１時間）ごとにファイル管理プログラムの一部である非接続端末警告プログラムが呼び出されてＣＰＵ２０で実行されることにより行われるものである。まず、操作履歴リスト記憶エリア２３２に記憶されている最新の操作履歴の「操作日時」が取得される（Ｓ４１）。そして、最終接続日時情報記憶エリア２３３から１つの「端末ＩＤ」と、端末ＩＤに対応された「最終接続日時」が取得される（Ｓ４２）。そして、Ｓ４１で取得された「操作日時」が、Ｓ４２で取得された「最終接続日時」よりも大きいか否か（新しい日付であるか否か）の判断が行われる（Ｓ４３）。つまり、端末ＩＤで特定される携帯端末１がファイルサーバ２に最後に接続してから、コンテンツファイルの更新又は削除が行われたか否かの判断が行われる。操作日時が最終接続日時よりも新しい日付であれば（Ｓ４３：ＹＥＳ）、ディスプレイ２８１に警告画面が表示される（Ｓ４４）。この警告画面には、端末ＩＤ及び最終接続日時、及び、確認ボタンが表示される。一方、操作日時が最終接続日時よりも新しい日付でなければ（Ｓ４３：ＮＯ）、警告画面は表示されない。
【００７１】
そして、最終接続日時情報記憶エリア２３３に記憶されている端末ＩＤのうち、Ｓ４２〜Ｓ４４の処理が行われていない端末ＩＤがあれば（Ｓ４５：ＹＥＳ）、Ｓ４２へ戻り、未処理の端末ＩＤと、当該端末ＩＤに対応された最終接続日時が最終接続日時情報記憶エリア２３３から読み出される（Ｓ４２）。そして、操作日時と最終接続日時の比較が行われ（Ｓ４３）、操作日時が最終接続日時よりも新しい日付であれば（Ｓ４３：ＹＥＳ）、ディスプレイ２８１に警告画面が表示される（Ｓ４４）。操作日時が最終接続日時よりも新しい日付でなければ（Ｓ４３：ＮＯ）、警告画面は表示されない。
【００７２】
以上のようにして、Ｓ４２〜Ｓ４５の処理が繰り返し行われる。これにより、ファイルサーバ２に最後に接続してから、コンテンツファイルの更新又は削除が行われた携帯端末１を警告画面により報知することができる。よって、ファイルサーバ２の管理者は、その携帯端末が接続した後にファイル操作が行われた可能性があることを知ることができ、報知された携帯端末１の使用者に対して、その旨を伝え、注意を喚起することができる。したがって、携帯端末により持ち出された後の削除されたファイルを、そのまま使用し続けるという内部統制の観点から好ましくない状況を回避する手助けとなる。
【００７３】
次に、図１６及び図１７を参照して、携帯端末１で行われる処理について説明する。図１６は、サーバ接続処理のフローチャートであり、図１７は、サーバ接続処理の中で行われる受信処理のフローチャートである。図１８は、非接続時処理のフローチャートである。
【００７４】
次に、図１６及び図１７を参照して、サーバ接続処理について説明する。このサーバ接続処理は、携帯端末１において、ファイルサーバ２に接続したことが検知された際に、携帯端末プログラムの一部であるサーバ接続プログラムが呼び出されてＣＰＵ１０で実行されることにより行われるものである。
【００７５】
まず、フラッシュメモリ１８の端末ＩＤ記憶エリア１８１に記憶されている当該携帯端末１の端末ＩＤが読み出され、ファイルサーバ２へ送信される（Ｓ５１）。そして、出力コンテンツファイル記憶エリア１８２が参照され、出力コンテンツファイルごとに「コンテンツＩＤ」及び「更新日時」が読み出されて、取得一覧情報が作成されて、取得一覧情報記憶エリア１８４（図１０参照）に記憶され、ファイルサーバ２へ送信される（Ｓ５２）。
【００７６】
そして、ファイルサーバ２から「終了情報」を受信したか否かの判断が行われる（Ｓ５３）。「終了情報」を受信していなければ（Ｓ５３：ＮＯ）、「更新情報」を受信したか否かの判断が行われる（Ｓ５４）。「更新情報」も受信していなければ（Ｓ５４：ＮＯ）、「削除情報」を受信したか否かの判断が行われる（Ｓ５５）。「削除情報」も受信していなければ（Ｓ５５：ＮＯ）、Ｓ５３へ戻り、再度、「終了情報」の受信の判断が行われる（Ｓ５３）。
【００７７】
このようにして、Ｓ５３〜Ｓ５５の処理が繰り返し行われる中で、「更新情報」が受信されたら（Ｓ５４：ＹＥＳ）、出力コンテンツファイル記憶エリア１８２に記憶されている出力コンテンツファイルが、「更新情報」と共に送信された更新後の出力コンテンツファイルに置き換えられる（Ｓ５６）。そして、電気泳動表示パネル１１１に表示されている情報がクリアされ、出力コンテンツファイルが更新された旨のメッセージ、当該出力コンテンツファイルのコンテンツＩＤを記した警告画面が表示される（Ｓ５７）。そして、Ｓ５３へ戻る。
【００７８】
また、「削除情報」が受信されたら（Ｓ５５：ＹＥＳ）、出力コンテンツファイル記憶エリア１８２に記憶されている出力コンテンツファイルのうち、削除情報の示すコンテンツＩＤの出力コンテンツファイルが削除される（Ｓ５８）。そして、電気泳動表示パネル１１１に表示されている情報がクリアされ、出力コンテンツファイルが削除された旨のメッセージ、当該出力コンテンツファイルのコンテンツＩＤを記した警告画面が表示される（Ｓ５９）。そして、Ｓ５３へ戻る。
【００７９】
また、「終了情報」が受信されたら（Ｓ５３：ＹＥＳ）、これ以上「更新情報」や「削除情報」が送信されてくることはないので、Ｓ６０へ進む。そこで、電気泳動表示パネル１１１に警告画面が表示されているか否かの判断が行われ（Ｓ６０）、表示されていなければ（Ｓ６０：ＮＯ）、自身の出力コンテンツファイル記憶エリア１８２に記憶されている出力コンテンツファイルに何ら変更はなかったので、ファイルサーバ２から送信される出力コンテンツファイルを受信するための受信処理が行われ（Ｓ６３、図１７参照）、サーバ接続処理は終了する。
【００８０】
図１７に示すように、受信処理では、まず、出力コンテンツファイルを受信したか否かの判断が行われる（Ｓ７１）。出力コンテンツファイルを受信しなければ（Ｓ７１：ＮＯ）、送信終了情報を受信したか否かの判断が行われる（Ｓ７３）。送信終了情報を受信していなければ（Ｓ７３：ＮＯ）、Ｓ７１へ戻り、出力コンテンツファイルの受信の判断が行われる（Ｓ７１）。そして、Ｓ７１，Ｓ７３の処理が繰り返し行われる中で、出力コンテンツファイルが受信されたら（Ｓ７１：ＹＥＳ）、出力コンテンツファイル記憶エリア１８２に受信した出力コンテンツファイルが記憶される（Ｓ７２）。ここで、既に出力コンテンツファイル記憶エリア１８２に記憶されているコンテンツＩＤの出力コンテンツファイルであれば、上書きされる。また、出力コンテンツファイル記憶エリア１８２に記憶されていなければ、新たに出力ファイルが追加される。そして、Ｓ７１へ戻る。また、送信終了情報が受信されたら（Ｓ７３：ＹＥＳ）、もう出力コンテンツファイルは送信されてこないので、受信処理は終了し、サーバ接続処理へ戻り、サーバ接続処理も終了する。
【００８１】
また、警告画面が表示されている場合には（Ｓ６０：ＹＥＳ）、確認ボタンが選択されたか否かの判断が行われる（Ｓ６１）。確認ボタンが選択されるまでは、繰り返し選択の判断が行われる（Ｓ６１：ＮＯ、Ｓ６１）。そして、確認ボタンが選択されたら（Ｓ６１：ＹＥＳ）、電気泳動表示パネル１１１に初期画面が表示され（Ｓ６２）、受信処理が行われ（Ｓ６３、図１７参照）、サーバ接続処理は終了する。
【００８２】
以上のようにして、携帯端末１では、ファイルサーバ２から「更新情報」と共に更新後の出力コンテンツファイルを受信し、出力コンテンツファイル記憶エリア１８２に記憶されている出力コンテンツファイルを更新することができる。よって、携帯端末１の使用者がわざわざコンテンツの更新状態を確認して、再取得する必要がない。また、携帯端末１により持ち出された後に更新されたコンテンツファイルが、そのまま使用し続けられることなくなる。また、「削除情報」を受信し、ファイルサーバ２で削除されたコンテンツファイルを、出力コンテンツファイル記憶エリア１８２から削除することができる。よって、携帯端末１により持ち出された後に削除されたコンテンツファイルが、そのまま使用し続けられることがなくなる。したがって、内部統制の観点から好ましくない状況を回避することができる。
【００８３】
また、警告画面が表示されることにより、出力コンテンツファイルが更新されたことを知ることができる。さらに、携帯端末１にコンテンツを表示させた状態で、ファイルサーバに接続し、表示中のコンテンツが更新されたコンテンツであったとしても、警告画面が表示されることにより、表示中の画面が消去される。よって、更新前のコンテンツの情報が表示され続けることがない。特に、本実施の形態の電気泳動表示パネル１１１のように、不揮発性の表示手段では、携帯端末１の電源が断たれていても表示内容が保持される。例えば、ファイルサーバ２と接続してサーバ接続処理が行われる際には、必要がなければ電気泳動表示パネル１１１へ電源供給が行われないような場合、電気泳動表示パネル１１１には、サーバ接続前から表示されている情報が表示され続けることになる。この場合に、電気泳動表示パネル１１１に更新前のコンテンツや削除されたコンテンツの情報が表示されている場合、せっかく、携帯端末１の出力コンテンツファイル記憶エリア１８２の情報を更新したり、削除したりしても、好ましくない情報が表示され続けてしまうことになる。しかしながら、本実施の形態では、警告画面を表示させる際に、画面がクリアされているので、好ましくない情報（更新前のコンテンツや削除されたコンテンツの情報）が表示され続けてしまうことがない。よって、内部統制の観点から好ましくない状況を回避することができる。
【００８４】
次に、図１８を参照して、非接続時処理について説明する。この非接続時処理は、携帯端末１において、ファイルサーバ２への接続が断たれたことが検知された際に、携帯端末プログラムの一部である非接続時プログラムが呼び出されてＣＰＵ１０で実行されることにより行われるものである。
【００８５】
まず、ＲＴＣ１５から現在時刻が取得され、最終接続日時記憶エリア１８３に記憶される（Ｓ８１）。そして、ファイルサーバ２と接続したか否かの判断が行われる（Ｓ８２）。接続していなければ（Ｓ８２：ＮＯ）、ＲＴＣ１５から現在時刻が取得され、最終接続日時から所定時間経過したか否かの判断が行われる（Ｓ８３）。所定時間は、例えば、１日、５日、１週間等、適宜設定すればよい。所定時間が経過していなければ（Ｓ８３：ＮＯ）、Ｓ８２へ戻り、ファイルサーバ２との接続の判断が行われる（Ｓ８２）。そして、繰り返しＳ８２，Ｓ８３の処理が行われ、所定時間が経過すれば（Ｓ８３：ＹＥＳ）、所定時間、ファイルサーバ２と接続していない旨の警告画面が電気泳動表示パネル１１１に表示される（Ｓ８４）。そして、本処理は終了する。また、繰り返しＳ８２，Ｓ８３の処理が行われる中で、ファイルサーバ２に接続すれば（Ｓ８２：ＹＥＳ）、本処理は終了する。
【００８６】
以上のようにして、携帯端末１では、ファイルサーバ２と所定時間接続していない場合に、警告画面が表示されるので、携帯端末１の使用者は、削除されたり、更新されたりしたファイルを使用している危険性があることを知ることができる。よって、携帯端末のファイルの使用方法を改めたり、ファイルサーバに接続して更新後のファイルを取得したりすることができる。したがって、携帯端末により持ち出された後に削除されたり更新されたりしたファイルを、そのまま使用し続けるという内部統制の観点から好ましくない状況を回避する手助けとなる。
【００８７】
なお、上記実施の形態のコンテンツファイル及び出力コンテンツファイルが「ファイル」に該当し、操作履歴リスト記憶エリア２３２及びコンテンツファイル記憶エリア２３６が「ファイル記憶手段」に該当する。ファイルサーバ２のＵＳＢコントローラ２９が「サーバ側接続手段」に該当し、携帯端末１のＵＳＢコントローラ１９が「携帯端末側接続手段」に該当する。転送処理（図１４参照）を行うファイルサーバ２のＣＰＵ２０が「ファイル出力手段」に相当する。受信処理（図１７参照）のＳ７１，Ｓ７２の処理を行う携帯端末１のＣＰＵ１０が「ファイル取得手段」に相当する。携帯端末１のフラッシュメモリ１８の出力コンテンツファイル記憶エリア１８２が「取得ファイル記憶手段」に該当する。サーバ接続処理（図１６参照）のＳ５２で取得一覧情報を作成する処理を行うＣＰＵ１０が「取得一覧情報作成手段」に相当し、ファイルサーバ２へ取得一覧情報を送信する処理を行うＣＰＵ１０が「取得一覧情報出力手段」に相当する。そして、端末接続処理（図１３参照）のＳ１２において、携帯端末１から取得一覧情報を取得する処理を行うファイルサーバ２のＣＰＵ２０が「取得一覧情報取得手段」に相当する。Ｓ１４，Ｓ１５において、「更新日時」よりも新しい日付の「更新」の操作履歴のレコードがあれば、更新情報を携帯端末１へ送信する処理を行うＣＰＵ２０が「更新情報出力手段」に相当する。そして、サーバ接続処理のＳ５４，Ｓ５７において、更新情報を受信したら、警告画面を表示する処理を行うＣＰＵ１０が「更新表示制御手段」に相当する。
【００８８】
そして、末接続処理のＳ１５において、更新情報とともに更新後の出力コンテンツファイルを携帯端末１へ送信する処理を行うＣＰＵ２０が「更新後ファイル出力処理」に相当し、サーバ接続処理のＳ５４，Ｓ５９において、更新後出力ファイルに置き換える処理を行うＣＰＵ１０が「ファイル更新手段」に相当する。電気泳動表示パネル１１１が「不揮発性表示手段」に該当する。そして、サーバ接続処理のＳ５４，Ｓ５７において、更新情報を受信したら、電気泳動表示パネル１１１の表示を消去する処理を行うＣＰＵ１０が「第一表示消去手段」に相当する。
【００８９】
端末接続処理のＳ１６，Ｓ１７において、「更新日時」よりも新しい日付の「削除」の操作履歴のレコードがあれば、「削除情報」を携帯端末１へ送信する処理を行うＣＰＵ２０が「削除情報出力手段」に相当する。そして、サーバ接続処理のＳ５５，Ｓ５９において、削除情報を受信したら、警告画面を表示する処理を行うＣＰＵ１０が「削除表示制御手段」に相当する。そして、サーバ接続処理のＳ５５，Ｓ５８において、削除情報を受信したら、コンテンツファイルを削除する処理を行うＣＰＵ１０が「ファイル削除手段」に相当する。
【００９０】
携帯端末１のフラッシュメモリ１８の端末ＩＤ記憶エリア１８１が「端末識別情報記憶手段」に該当し、最終接続日時記憶エリア１８３が「最終接続日時記憶手段」に該当する。ファイルサーバ２の操作履歴リスト記憶エリア２３２が「操作日時記憶手段」に該当する。端末非接続警告処理（図１５参照）を行うＣＰＵ２０が「報知手段」に相当する。非接続時処理（図１８参照）を行う携帯端末１のＣＰＵ１０が「警告出力手段」に相当する。
【００９１】
なお、本発明のファイル管理システム、携帯端末、及び、携帯端末プログラムは、上記した実施の形態に限定されるものではなく、本発明の要旨を逸脱しない範囲内において種々変更を加え得ることは勿論である。上記実施の形態では、携帯端末１とファイルサーバ２とはＵＳＢケーブルを介して接続したが、ケーブルはＵＳＢケーブルでなくともよいし、無線通信により接続してもよい。また、上記実施の形態では、携帯端末１に出力するコンテンツファイルの指定を、ファイルサーバ２で行ったが、携帯端末１で行ってもよい。この場合、携帯端末１がファイルサーバ２に接続した際に、出力可能なコンテンツファイルの一覧を送信し、携帯端末１で一覧の中から取得したいコンテンツファイルを指定し、その情報をファイルサーバ２へ返送するようにしてもよい。また、上記実施の形態では、コンテンツファイルを、携帯端末１で使用可能なフォーマットの表示用データに返還して、出力コンテンツファイルを作成しているが、携帯端末１においてコンテンツファイルをそのまま使用可能な場合は、コンテンツファイルをそのまま送信すればよい。また、上記実施の形態では、「不揮発性表示手段」として電気泳動方式の表示パネルを用いたが、これ以外の例えばコレステリック液晶等の表示保持性のあるパネルを利用してもよい。
【００９２】
また、上記実施の形態では、ファイルサーバ２に記憶されているコンテンツファイルを携帯端末１に出力したが、ファイルサーバ２に記憶されているコンテンツファイルだけでなくともよい。例えば、ファイルサーバ２がネットワークを介して他の装置に接続可能な場合、他の装置に記憶されているコンテンツファイルや、他の装置が取得可能なコンテンツファイルの所在場所をコンテンツ情報記憶エリア２３１に記憶しておき、要求があった際に取得して、出力してもよい。この場合、取得一覧情報に記載されているコンテンツＩＤのコンテンツが更新されたか、削除されたかを確認する際には、操作履歴の更新日時を参照するのではなく、直接、コンテンツファイルの作成日時を参照すればよい。
【００９３】
また、上記実施の形態では、図１５に示す端末非接続警告処理のＳ４４でディスプレイ２８１に表示される警告画面に端末ＩＤ及び最終接続日時を表示させている。しかし、表示させる情報はこれに限らない。例えば、ファイルサーバ２に端末ＩＤで特定される携帯端末１を所持する人物に関する情報（例えば、ユーザＩＤ，氏名、所属）を記憶させておき、その人物に関する情報も表示させてもよい。また、最終接続日時後の履歴情報も表示させてもよい。
【００９４】
また、上記実施の形態では、更新情報又は削除情報を受信した際に、警告画面を表示するために電気泳動表示パネル１１１の表示を消去している。しかしながら、図１９に示すサーバ接続処理の変形例のフローチャートのように、更新情報又は削除情報を受信する、しないに関わらず、電気泳動表示パネル１１１の表示を消去してもよい。なお。図１９に示すフローチャートにおいて、図１６に示したサーバ接続処理のフローチャートと同様の処理を行う部分については、同じステップ番号を付与している。異なる処理を行う部分にはＳ１０１，Ｓ１０２，Ｓ１０３を付与した。変形例のサーバ接続処理では、ファイルサーバ２に接続し、端末ＩＤの送信（Ｓ５１），取得一覧情報の送信（Ｓ５２）を行った後に、現在電気泳動表示パネル１１１に表示している情報を示す値がＲＡＭ１７の所定の記憶エリア（図示外）に記憶される（Ｓ１０１）。コンテンツを表示していれば、コンテンツＩＤや表示ページ数が記憶される。メニュー画面や設定画面が表示されていれば、そのメニュー画面を示す値が記憶される。そして、電気泳動表示パネル１１１の画面が消去される（Ｓ１０２）。具体的には、文字や写真の情報が何も表示されていない白紙の画面が表示される。そして、終了情報を受信した後には、更新情報又は削除情報を受信して警告画面が表示されているのでなければ（Ｓ６０：ＮＯ）、Ｓ１０１で記憶した、ファイルサーバ２と接続する以前に表示されていた画面が再表示される（Ｓ１０３）。
【００９５】
これにより、コンテンツファイルに更新も削除もなかった場合には、ファイルサーバ２と接続する前の状態を引き継ぐことができる。しかし、更新や削除があった場合には、画面の消去、警告画面の表示を経て、初期画面が表示されるので、接続前に更新や削除のあったコンテンツが表示されていたとしても、その情報が継続して表示され続けることがない。よって、内部統制の観点から好ましくない状況を回避する手助けとなる。また、上記実施の形態や本変形例のように、画面の消去を行うのではなく、削除情報や更新情報を受信した際に、電気泳動表示パネル１１１に表示中の情報が、削除情報又は更新情報の示すコンテンツの情報であるか否かを判断し、削除情報又は更新情報の示すコンテンツの情報である場合のみ、表示を消去するようにしてもよい。この処理を行うＣＰＵ１０が「出力中止手段」に相当する。
【００９６】
また、上記実施の形態において、携帯端末１で行われる非接続時処理（図１８参照）は、Ｓ８４において、警告画面を表示させるのみである。しかしながら、警告画面を表示させるだけでなく、出力コンテンツファイル記憶エリア１８２に記憶されている出力コンテンツファイルの情報を電気泳動表示パネル１１１に表示させないようにしてもよい。具体的には、フラッシュメモリ１８内に表示禁止フラグを記憶する記憶エリアを設ける。そして、Ｓ８４で警告画面を表示する前又は後、若しくは、警告画面は表示せずに（Ｓ８４の処理に替えて）、この表示禁止フラグをＯＮとする（初期値はＯＦＦ）。そして、出力コンテンツファイル記憶エリア１８２に記憶されている出力コンテンツファイルの情報を電気泳動表示パネル１１１に表示させる際には、表示禁止フラグを参照し、ＯＦＦである場合にのみ表示を実行し、ＯＮである場合には、表示を実行させない。この際にも警告画面を表示させるようにしてもよい。このような処理を行うＣＰＵ１０が「出力禁止手段」に相当する。また、Ｓ８４で警告画面を表示する前又は後、若しくは、警告画面は表示せずに（Ｓ８４の処理に替えて）、電気泳動表示パネル１１１に表示されている情報を消去してもよい。この処理を行うＣＰＵ１０が「第二表示消去手段」に相当する。
【図面の簡単な説明】
【００９７】
【図１】本実施の形態のファイル管理システムの構成図である。
【図２】ファイルサーバ２の電気的構成を示す模式図である。
【図３】コンテンツ情報記憶エリア２３１の構成を示す模式図である。
【図４】操作履歴リスト記憶エリア２３２の構成を示す模式図である。
【図５】最終接続日時情報記憶エリア２３３の構成を示す模式図である。
【図６】ＲＡＭ２１に設けられている記憶エリアの構成を示す模式図である。
【図７】ＲＡＭ２１の出力コンテンツファイル記憶エリア２１３の構成を示す模式図である。
【図８】携帯端末１の電気的構成を示す模式図である。
【図９】フラッシュメモリ１８に設けられている記憶エリアの構成を示す模式図である。
【図１０】フラッシュメモリ１８の取得一覧情報記憶エリア１８４の構成を示す模式図である。
【図１１】更新処理のフローチャートである。
【図１２】削除処理のフローチャートである。
【図１３】端末接続処理のフローチャートである。
【図１４】端末接続処理の中で行われる転送処理のフローチャートである。
【図１５】端末非接続警告処理のフローチャートである。
【図１６】サーバ接続処理のフローチャートである。
【図１７】サーバ接続処理の中で行われる受信処理のフローチャートである。
【図１８】非接続時処理のフローチャートである。
【図１９】変形例のサーバ接続処理のフローチャートである。
【符号の説明】
【００９８】
１  携帯端末
２  ファイルサーバ
１０  ＣＰＵ
１８  フラッシュメモリ
１９  ＵＳＢコントローラ
２０  ＣＰＵ
２３  ハードディスク装置
１１１  電気泳動表示パネル
１８１  端末ＩＤ記憶エリア
１８２  出力コンテンツファイル記憶エリア
１８３  最終接続日時記憶エリア
１８４  取得一覧情報記憶エリア
２１１  接続中端末ＩＤ記憶エリア
２１２  取得一覧情報記憶エリア
２１３  出力コンテンツファイル記憶エリア
２３１  コンテンツ情報記憶エリア
２３２  操作履歴リスト記憶エリア
２３３  最終接続日時情報記憶エリア
２３４  送信コンテンツ記憶エリア
２３５  プログラム記憶エリア
２３６  コンテンツファイル記憶エリア
【図１】
2009237843.tif 000003
【図２】
2009237843.tif 000004
【図３】
2009237843.tif 000005
【図４】
2009237843.tif 000006
【図５】
2009237843.tif 000007
【図６】
2009237843.tif 000008
【図７】
2009237843.tif 000009
【図８】
2009237843.tif 000010
【図９】
2009237843.tif 000011
【図１０】
2009237843.tif 000012
【図１１】
2009237843.tif 000013
【図１２】
2009237843.tif 000014
【図１３】
2009237843.tif 000015
【図１４】
2009237843.tif 000016
【図１５】
2009237843.tif 000017
【図１６】
2009237843.tif 000018
【図１７】
2009237843.tif 000019
【図１８】
2009237843.tif 000020
【図１９】
2009237843.tif 000021